(57)【要約】【課題】操作禁止札の取付／取外作業をなくしたり取り外した短絡片の管理を容易にしたりすることができるトリップロック端子用保護カバーを提供することにある。【解決手段】平板状の蓋部１１と、蓋部１１で表面が蓋された筒状の胴部１２と、胴部１２の表面近傍に取り付けられたかつ端子用保護カバー１０を上下逆さまにすると「操作禁止」の表示が端子用保護カバー１０の表面から見えるようにするための操作禁止標示手段として機能する支持棒１３および標示板１４と、胴部１２の外側に取り付けられたかつ端子用保護カバー１０を上下逆さまにすると上側および下側端子１１０ａ，１１０ｂを電気的に接続するための短絡片１２０を上方から収納できるようにするための短絡片収納手段として機能する収納箱１５とを具備する。【選択図】図２
2018064320.tif 000002
【特許請求の範囲】
【請求項１】
上下に並設された一対のトリップロック端子（１１０ａ，１１０ｂ）に使用するためのトリップロック端子用保護カバー（１０）であって、
平板状の蓋部（１１）と、
該蓋部で表面が蓋された筒状の胴部（１２）と、
該胴部の表面近傍に取り付けられた、かつ、前記トリップロック端子用保護カバーを上下逆さまにすると操作禁止中表示が該トリップロック端子用保護カバーの表面から見えるようにするための操作禁止標示手段（１３，１４）と、
を具備することを特徴とする、トリップロック端子用保護カバー。
【請求項２】
前記操作禁止標示手段が、
両端が前記胴部の両側面にそれぞれ固定されて該胴部内に取り付けられた支持棒（１３）と、
該支持棒を中心として回動可能に前記胴部内に取り付けられた標示板（１４）とを備え、
前記操作禁止中表示が前記標示板の裏面に表示がされており、
前記標示板が前記支持棒を中心として回動するように前記トリップロック端子用保護カバーを上下逆さまにすると、該標示板の表面と裏面とがひっくり返って前記操作禁止中表示が該トリップロック端子用保護カバーの表面から見えるようにされている、
ことを特徴とする、請求項１記載のトリップロック端子用保護カバー。
【請求項３】
前記胴部の外側に取り付けられた、かつ、前記トリップロック端子用保護カバーを上下逆さまにすると前記一対のトリップロック端子を電気的に接続するための短絡片（１２０）を上方から収納できるようにするための短絡片収納手段（１５）をさらに具備することを特徴とする、請求項１または２記載のトリップロック端子用保護カバー。
【請求項４】
前記短絡片収納手段が、
前記胴部の側面に固定されて該胴部の外側に取り付けられた収納箱（１５）を備え、
該収納箱に、挿入口（１５ｂ）が下面の中央部に位置するように収納穴（１５ａ）が形成されており、
前記トリップロック端子用保護カバーを上下逆さまにすると、前記挿入口が前記収納箱の上側になって前記収納穴に前記短絡片を収納できるようにされている、
ことを特徴とする、請求項３記載のトリップロック端子用保護カバー。
【発明の詳細な説明】
【技術分野】
【０００１】
本発明は、上下に並設された一対のトリップロック端子に使用するのに好適なトリップロック端子用保護カバーに関する。
【背景技術】
【０００２】
電力会社では、発変電所等の電力保護制御回路として、保護継電器および遮断器を含む回路を採用している。
【０００３】
保護継電器は、入力された電流データまたは電圧データに異常がある場合に遮断器を動作させて負荷側電路の負荷側機器に対する接続を遮断するように構成されている。
【０００４】
また、配電盤等の基板に固定される一対のトリップロック端子（上下に並設された上側および下側端子１１０ａ，１１０ｂ）を備えたトリップロック端子台を保護継電器と遮断器との間に接続して、常時は、図３（ａ）に示すように短絡片１２０を介して上側および下側端子１１０ａ，１１０ｂを電気的に接続して閉路するとともに、異常時や定期点検時には、遮断器が不用意に動作しないように、短絡片１２０を取り外して上側および下側端子１１０ａ，１１０ｂを電気的に切り離して開路（ロック）するようにしている。
【０００５】
そのため、短絡片１２０は、図３（ｂ）に示すように、上側および下側端子１１０ａ，１１０ｂの軸部とそれぞれ結合するための上側および下側結合部１２１ａ，１２１ｂが上下端部にそれぞれ形成された導電性の本体部１２１と、本体部１２１の中間部に設けられるとともに本体部１２１が上から下に貫通された絶縁性の把持部１２２（矩形板状）とを備える。
この例では、上側結合部１２１ａは、同図図示右向きに開放されたＣ字形状とされ、下側結合部１２１ｂは同図図示下向きに開放されたＣ字形状とされている。
【０００６】
上側および下側端子１１０ａ，１１０ｂには、感電防止や保護継電器の動作試験中における試験用リード線の接触による保護継電器の誤動作防止のために、図３（ａ）に示すようにトリップロック端子用保護カバー１３０（以下、「端子用保護カバー１３０」と称する。）を被せるようにしている。
端子用保護カバー１３０は、短絡片１２０が上側および下側端子１１０ａ，１１０ｂ間に取り付けられていることを容易に確認できるようにするために、絶縁性の透明な材料で構成されている。
【０００７】
異常時や定期点検時に上側および下側端子１１０ａ，１１０ｂを開路（ロック）したときには、誰かが勝手にロック解除しないように、上端部の中央部に紐１４２が取り付けられた操作禁止札１４１を用いて、図３（ｃ）に示すように紐１４２を端子用保護カバー１３０に巻き付けて操作禁止札１４１を端子用保護カバー１３０にぶら下げて、操作禁止中（ロック中）であることを標示している。
なお、操作禁止札１４１の裏面にマグネットが取り付けられている場合には、図３（ｄ）に示すように操作禁止札１４１を端子用保護カバー１３０の同図図示右隣りに貼着させて、操作禁止中（ロック中）であることを標示したりもしている。
【０００８】
また、異常時や定期点検時に取り外した短絡片１２０は、図３（ｃ），（ｄ）に示すように端子用保護カバー１３０の中に入れた状態で上側および下側端子１１０ａ，１１０ｂに端子用保護カバー１３０を被せたり、端子用保護カバー１３０の中に入れないで床面や机上等に置いたりしている。
【０００９】
なお、本出願人は、下記の特許文献１において、一対の中継端子（一対のトリップロック端子）の間に「青」で着色した識別表示を短絡端子（短絡片１２０）の把持部（把持部１２２）で覆い隠すように設けるとともに、「常時活かし中」の一対の帽体を「赤」で着色し、「常時ロック中」の一対の帽体を「青」で着色することにより、運用状況を容易に把握できるようにしたトリップロック端子台を提案している。
【先行技術文献】
【特許文献】
【００１０】
【特許文献１】特開２０１５−４３６６１号公報
【発明の概要】
【発明が解決しようとする課題】
【００１１】
しかしながら、上述した操作禁止札１４１の取付方法では、トリップロック端子台には多数組の一対のトリップロック端子が取り付けられており、定期点検時において多数個の保護継電器の動作試験を行う場合には、多数個の操作禁止札１４１を取り付けたり取り外したりする必要があるため、操作禁止札１４１の取付／取外作業に多くの時間を費やすという問題があった。
また、上述した取り外した短絡片１２０の管理方法では、端子用保護カバー１３０の中に短絡片１２０を入れ忘れたり、床面や机上等に置いた短絡片１２０を紛失したりするおそれがあるという問題があった。
【００１２】
本発明の目的は、操作禁止札の取付／取外作業をなくしたり取り外した短絡片の管理を容易にしたりすることができるトリップロック端子用保護カバーを提供することにある。
【課題を解決するための手段】
【００１３】
本発明のトリップロック端子用保護カバーは、上下に並設された一対のトリップロック端子（１１０ａ，１１０ｂ）に使用するためのトリップロック端子用保護カバー（１０）であって、平板状の蓋部（１１）と、該蓋部で表面が蓋された筒状の胴部（１２）と、該胴部の表面近傍に取り付けられた、かつ、前記トリップロック端子用保護カバーを上下逆さまにすると操作禁止中表示が該トリップロック端子用保護カバーの表面から見えるようにするための操作禁止標示手段（１３，１４）とを具備することを特徴とする。
ここで、前記操作禁止標示手段が、両端が前記胴部の両側面にそれぞれ固定されて該胴部内に取り付けられた支持棒（１３）と、該支持棒を中心として回動可能に前記胴部内に取り付けられた標示板（１４）とを備え、前記操作禁止中表示が前記標示板の裏面に表示がされており、前記標示板が前記支持棒を中心として回動するように前記トリップロック端子用保護カバーを上下逆さまにすると、該標示板の表面と裏面とがひっくり返って前記操作禁止中表示が該トリップロック端子用保護カバーの表面から見えるようにされていてもよい。
前記胴部の外側に取り付けられた、かつ、前記トリップロック端子用保護カバーを上下逆さまにすると前記一対のトリップロック端子を電気的に接続するための短絡片（１２０）を上方から収納できるようにするための短絡片収納手段（１５）をさらに具備してもよい。
前記短絡片収納手段が、前記胴部の側面に固定されて該胴部の外側に取り付けられた収納箱（１５）を備え、該収納箱に、挿入口（１５ｂ）が下面の中央部に位置するように収納穴（１５ａ）が形成されており、前記トリップロック端子用保護カバーを上下逆さまにすると、前記挿入口が前記収納箱の上側になって前記収納穴に前記短絡片を収納できるようにされていてもよい。
【発明の効果】
【００１４】
本発明のトリップロック端子用保護カバーは、以下の効果を奏する。
（１）トリップロック端子用保護カバーを上下逆さまにすると表面から操作禁止中表示が見えるようにすることにより、従来の操作禁止札を不要にできるため、操作禁止札の取付／取外作業をなくすことができる。
（２）短絡片収納手段を備えることにより、端子用保護カバーの中に入れ忘れたり紛失したりすることを防止できるため、取り外した短絡片の管理を容易にすることができる。
（３）操作禁止中（ロック中）であることを確実に標示できるため、ヒューマンエラーによるロック解除を防止することができる。
【図面の簡単な説明】
【００１５】
【図１】本発明の一実施例によるトリップロック端子用保護カバー１０の構成を示す図であり、（ａ），（ｂ）は正面図および右側面図であり、（ｃ），（ｄ）は上下逆さまにしたときの正面図および右側面図である。
【図２】図１に示したトリップロック端子用保護カバー１０の使用方法について説明するための図であり、（ａ），（ｂ）は上側および下側端子１１０ａ，１１０ｂに取り付けた状態を示す正面図および右側面図であり、（ｃ），（ｄ）は上下逆さまにして上側および下側端子１１０ａ，１１０ｂに取り付けた状態を示す正面図および右側面図である。
【図３】従来のトリップロック端子台における操作禁止札１４１の取付例について説明するための図であり、（ａ）は端子用保護カバー１３０が上側および下側端子１１０ａ，１１０ｂに被せられている状態を示す斜視図であり、（ｂ）は短絡片１２０の正面図であり、（ｃ）は操作禁止札１４１の一取付例を示す端子用保護カバー１３０の表面から見た図であり、（ｄ）操作禁止札１４１の他の取付例を示す端子用保護カバー１３０の表面から見た図である。
【発明を実施するための形態】
【００１６】
上記の目的を、操作禁止標示機能や短絡片収納機能を持たせることによりに実現した。
【実施例１】
【００１７】
以下、本発明のトリップロック端子用保護カバーの実施例について図面を参照して説明する。
本発明のトリップロック端子用保護カバーは、操作禁止標示機能を持たせることにより操作禁止札１４１の取付／取外作業をなくしたことと、短絡片収納機能を持たせることにより取り外した短絡片１２０の管理を容易にしたことを特徴とする。
【００１８】
そのため、本発明の一実施例によるトリップロック端子用保護カバー１０（以下、「端子用保護カバー１０」と称する。）は、図１（ａ），（ｂ）に示すように、蓋部１１および胴部１２を具備する点では従来の端子用保護カバー１３０（図３（ａ）参照）と同様であるが、支持棒１３、標示板１４および収納箱１５を具備する点で従来の端子用保護カバー１３０と相違する。
【００１９】
なお、図１（ｂ）では、収納箱１５は、同図紙面と反対側に位置するため、破線で示している。
【００２０】
ここで、蓋部１１および胴部１２は、従来の端子用保護カバー１３０と同様に、絶縁性の透明な材料から構成されている。
蓋部１１は上下端部に丸みを持たせた矩形平板状とされており、胴部１２は筒状とされている。
胴部１２の表面は蓋部１１で蓋されており、胴部１２の裏面は開口面とされている。
これにより、端子用保護カバー１０は、胴部１２の裏面から上側および下側端子１１０ａ，１１０ｂ（一対のトリップロック端子）に被せられるようにされている。
【００２１】
支持棒１３および標示板１４は、端子用保護カバー１０に操作禁止標示機能を持たせるためのものである。
【００２２】
支持棒１３は、絶縁性の材料からなる丸棒である。
支持棒１３は、両端が胴部１２の左右側面にそれぞれ固定されて、胴部１２内の垂直方向中央部に水平に取り付けられているとともに胴部１２の表面部近傍に取り付けられている。
【００２３】
標示板１４は、絶縁性の材料からなり、下端部に丸みを持たせた矩形平板状とされている。
標示板１４の上端部には、支持棒１３を貫通させるための貫通孔（径が支持棒１３の径よりも大きい。）が形成されている。
これにより、標示板１４は、支持棒１３が貫通孔に貫通されて、胴部１２内の表面部近傍に、支持棒１３を中心として回動可能に取り付けられている。
【００２４】
標示板１４の表面には、非ロック中を示す「常時」の文字が表示されており（図１（ａ）参照）、標示板１４の裏面には、操作禁止中（ロック中）を示す「操作禁止」の文字が表示されている（図１（ｃ）参照）。
これにより、通常時には、「常時」の文字が端子用保護カバー１０の表面から見えるように端子用保護カバー１０を上側および下側端子１１０ａ，１１０ｂに取り付けておき、一方、異常時や定期点検時には、標示板１４が支持棒１３を中心として回動するように端子用保護カバー１０を上下逆さまにして標示板１４の表面と裏面とをひっくり返して「操作禁止」の文字（操作禁止中表示）が端子用保護カバー１０の表面から見えるように端子用保護カバー１０を上側および下側端子１１０ａ，１１０ｂに取り付ければ、非ロック中か操作禁止中（ロック中）かを容易に確認できるようにされている。
【００２５】
収納箱１５は、端子用保護カバー１０に短絡片収納機能を持たせるためのものである。
【００２６】
収納箱１５は、絶縁性の材料からなり、矩形箱状とされている。
収納箱１５は、右側面が胴部１２の左側面に固定されて、胴部１２の外側に取り付けられている。
【００２７】
収納箱１５内には、深さが短絡片１２０の下側結合部１２１ｂの長さよりも長くされた収納穴１５ａが、挿入口１５ｂが下面の中央部に位置するように形成されている。
収納箱１５の挿入口１５ｂの開口は、短絡片１２０の把持部１２２の下面よりも小さくされている。
【００２８】
これにより、端子用保護カバー１０を上下逆さまにして、図１（ｃ），（ｄ）に示すように収納箱１５が胴部１２の右側にくるようにすると、挿入口１５ｂが収納箱１５の上側になるため、短絡片１２０を下側結合部１２１ｂの先端部から挿入口１５ｂを通して収納穴１５ａに把持部１２２が引っ掛かるまで挿入していくと、上側結合部１２１ａおよび把持部１２２が収納箱１５から飛び出た状態で短絡片１２０を収納箱１５の収納穴１５ａに収納できるようにされている。
【００２９】
次に、端子用保護カバー１０の使用方法について、図２（ａ）〜（ｄ）を参照して説明する。
なお、図２（ｂ）では、収納箱１５は、同図紙面と反対側に位置するため、図面の見易さを考慮して省略している。
【００３０】
作業員は、短絡片１２０を用いて上側および下側端子１１０ａ，１１０ｂを電気的に接続して閉路（非ロック中）にする際には、収納箱１５が左側となるように支持棒１５を中心に標示板１４を回動させて、標示板１４の表面に表示された「常時」の文字が端子用保護カバー１０の表面から見えるようにしたのち、端子用保護カバー１０を上側および下側端子１１０ａ，１１０ｂに取り付ける（図２（ａ），（ｂ）参照）。
【００３１】
なお、この状態では、作業員が短絡片１２０を収納箱１５に収納しようとしても、収納箱１５の挿入口１５ｂは下を向いているため収納することができない。
【００３２】
一方、作業員は、異常時や定期点検時に端子用保護カバー１０を上側および下側端子１１０ａ，１１０ｂから取り外したのちに短絡片１２０を上側および下側端子１１０ａ，１１０ｂから取り外して開路（操作禁止中）にする際には、支持棒１５を中心に標示板１４を回動させながら収納箱１５が右側となるように端子用保護カバー１０を上下逆さまにして、標示板１４の裏面に表示された「操作禁止」の文字が端子用保護カバー１０の表面から見えるようにしたのち、取り外した短絡片１２０を端子用保護カバー１０内に入れることなく、端子用保護カバー１０を上側および下側端子１１０ａ，１１０ｂに取り付ける（図２（ｃ），（ｄ）参照）。
【００３３】
これにより、非ロック中か操作禁止中（ロック中）かを確実に標示できるとともに、定期点検時において多数個の保護継電器の動作試験を行う場合でも多数個の操作禁止札１４１（図３（ｃ），（ｄ）参照）の取付／取外作業を不要にすることができる。
【００３４】
また、端子用保護カバー１０を上下逆さまにした状態では、収納箱１５の挿入口１５ｂは上を向いているため、作業員は、取り外した短絡片１２０を下側結合部１２１ｂの先端部から挿入口１５ｂを通して挿入していけば、取り外した短絡片１２０を収納箱１５に収納することができる（図２（ｃ），（ｄ）参照）。
【００３５】
これにより、定期点検時において多数個の保護継電器の動作試験を行う場合でも、取り外した短絡片１２０を端子用保護カバー１０の中に入れ忘れることを防止できるとともに、取り外した短絡片１２０を床面や机上等に置いて紛失することを防止できる。
【符号の説明】
【００３６】
１０  端子用保護カバー
１１  蓋部
１２  胴部
１３  支持棒
１４  標示板
１５  収納箱
１５ａ  収納穴
１５ｂ  挿入口
１１０ａ，１１０ｂ  上側および下側端子
１２０  短絡片
１２１  本体部
１２１ａ，１２１ｂ  上側および下側結合部
１２２  把持部
１３０  端子用保護カバー
１４１  操作禁止札
１４２  紐
【図１】
2018064320.tif 000003
【図２】
2018064320.tif 000004
【図３】
2018064320.tif 000005